(57)【要約】【課題】受信可能な状態になるまでの待ち時間を短くし、効率よく電波を受信することができる。【解決手段】移動端末装置は、複数のアンテナ１００−１、１００−２、…、１００−ｎと、複数のアンテナ１００−１〜１００−ｎを切り替えるアンテナ切替部１０１と、複数のアンテナ１００−１〜１００−ｎの各々に対する受信レベル、または受信の誤り率に基づいて、受信電波の圏内であるか否かを判定する圏内判定部１０２と、アンテナ切替部１０１により複数のアンテナ１００−１〜１００−ｎを巡回的に切り替えながら、圏内判定部１０２による各アンテナに対する判定結果を取得し、圏内であると判定された時点で、圏内判定部１０２による判定を終了させ、圏内であると判定されたアンテナで電波を受信するようにアンテナ切替部１０１による切り替えを制御する制御部１０３とを備えている。【選択図】図７
2014179731.tif 000002
【特許請求の範囲】
【請求項１】
複数のアンテナと、
前記複数のアンテナを切り替えるアンテナ切替部と、
前記複数のアンテナの各々に対する受信レベル、または受信の誤り率に基づいて、受信電波の圏内であるか否かを判定する圏内判定部と、
前記アンテナ切替部により前記複数のアンテナを巡回的に切り替えながら、前記圏内判定部による各アンテナに対する判定結果を取得し、前記圏内判定部によって圏内であると判定された時点で、前記圏内判定部による判定を終了させ、前記圏内であると判定されたアンテナで電波を受信するように前記アンテナ切替部による切り替えを制御する制御部と、
を備えることを特徴とする移動端末装置。
【請求項２】
前記圏内判定部は、前記複数のアンテナの各々に対する受信レベルに基づいて、受信電波の圏内であるか否かを判定する受信レベル判定部である、
ことを特徴とする請求項１に記載の移動端末装置。
【請求項３】
前記受信レベル判定部は、搬送波電力対雑音電力比信号（Ｃ／Ｎ）と同期状態信号（ＳＹＮＣ）とを用いて受信レベルを判定する第１の判定を行い、前記第１の判定によって受信レベルが低いと判定された場合には、更に、ドップラー周波数（Ｆｄ）または移動速度と、パケット誤り率（ＰＥＲ）信号とを用いて受信レベルを判定する第１の確定判定を行う一方、前記第１の判定によって受信レベルが高いと判定された場合には、ビット誤り率（ＢＥＲ）を用いて受信レベルを判定する第２の確定判定を行うことで、前記第１の確定判定、または前記第２の確定判定によって判定された受信レベルに基づいて、受信電波の圏内であるか否かを判定する、
ことを特徴とする請求項２に記載の移動端末装置。
【請求項４】
前記圏内判定部は、前記複数のアンテナの各々に対する受信の誤り率に基づいて、受信電波の圏内であるか否かを判定する誤り率判定部である、
ことを特徴とする請求項１に記載の移動端末装置。
【請求項５】
前記誤り率判定部は、パケット誤り率（ＰＥＲ）の値が所定の閾値以上である場合の連続回数が、規定回数より小である場合に圏内と判定し、パケット誤り率（ＰＥＲ）の値が所定の閾値以上である場合の連続回数が、規定回数以上である場合に圏外と判定する、
ことを特徴とする請求項４に記載の移動端末装置。
【請求項６】
前記複数のアンテナは、内部アンテナと着脱可能な外部アンテナとから構成される、
ことを特徴とする請求項１から５のいずれかに記載の移動端末装置。
【請求項７】
前記制御部は、前記アンテナ切替部により前記複数のアンテナを巡回的に切り替える際、前記内部アンテナを優先して切り替える、
ことを特徴とする請求項６に記載の移動端末装置。
【請求項８】
前記制御部は、前記アンテナ切替部による前記複数のアンテナを巡回的に切り替えるタイミングを、過去のパケット誤り率（ＰＥＲ）の発生頻度に基づいて制御する、
ことを特徴とする請求項１から７のいずれかに記載の移動端末装置。
【請求項９】
複数のアンテナを備える電子機器でのアンテナ切替方法であって、
前記複数のアンテナを切り替えるアンテナ切替ステップと、
前記複数のアンテナの各々に対する受信レベル、または受信の誤り率に基づいて、受信電波の圏内であるか否かを判定する圏内判定ステップと、
前記複数のアンテナを巡回的に切り替えながら、前記圏内判定ステップによる各アンテナに対する判定結果を取得し、圏内であると判定された時点で、前記圏内判定ステップによる判定を終了させ、前記圏内であると判定されたアンテナで電波を受信するように前記複数のアンテナの切り替えを制御する制御ステップと、
を備えることを特徴とするアンテナ切替方法。
【請求項１０】
複数のアンテナを備える電子機器のコンピュータに、
前記複数のアンテナを切り替えるアンテナ切替機能、
前記複数のアンテナの各々に対する受信レベル、または受信の誤り率に基づいて、受信電波の圏内であるか否かを判定する圏内判定機能、
前記アンテナ切替機能によって前記複数のアンテナを巡回的に切り替えながら、前記圏内判定機能による各アンテナに対する判定結果を取得し、前記圏内判定機能によって圏内であると判定された時点で、前記圏内判定機能による判定を終了させ、前記圏内であると判定されたアンテナで電波を受信するように前記複数のアンテナの切り替えを制御する制御機能、
を実行させることを特徴とするプログラム。
【発明の詳細な説明】
【技術分野】
【０００１】
本発明は、デジタル放送受信装置、アンテナ切替方法、及びプログラムに関する。
【背景技術】
【０００２】
近年、デジタル放送受信機能付きの移動端末装置（携帯電話、スマートフォン、タブレット端末などのモバイル機器）が普及している。また、ＶＨＦ−Ｈ帯を使ったマルチメディア放送が開始され、その利用頻度は増している。移動端末装置の特性上、屋外での使用頻度も増えている。例えば、電車内、バス内、車内、歩行時、新幹線内など、移動時に移動端末装置のデジタル放送機能にて視聴することがある。
【０００３】
小型化が求められる移動端末装置では、固定だけでなく移動受信を前提としている。しかしながら、小型化が求められる移動端末装置では、アンテナを増やすための設置スペースを端末内部に確保できないので、車載のデジタル放送受信機能付きカーナビ等のように複数アンテナを設置するのは難しい。そこで、受信感度を向上させる方法の一つとして、移動端末装置に外付けアンテナを取り付け可能な外部インターフェース（例えば、φ３．５オーディオイヤホンジャックや、ＵＳＢコネクタ）を設け、該外部インターフェースに外付けアンテナを必要に応じて取り付けて、あらかじめ移動端末装置に設置されたアンテナ（以下、内部アンテナと呼ぶ）と、外付けアンテナとを電波環境に応じて切り替える方法がある。
【０００４】
例えば、特許文献１〜５では、複数のアンテナを備える機器において、複数の受信アンテナによる最尤合成等のダイバーシティ受信を行う技術や、受信された電波の状態（ビット誤り率（ＢＥＲ：Bit Error Rate）や、パケット誤り率（ＰＥＲ：Packet Error
Rate）、搬送波電力対雑音電力比（Ｃ／Ｎ：Carrier to Noise ratio）、アンテナ利得）に応じて複数のアンテナを切り替えることで、効率よく電波を受信する技術が提案されている。
【先行技術文献】
【特許文献】
【０００５】
【特許文献１】特開２００８−１９３３８４号公報
【特許文献２】特開２００７−３２９７１５号公報
【特許文献３】特開２００６−１２１７０７号公報
【特許文献４】特開２００６−０９４３６０号公報
【特許文献５】特開２００２−０３３６８８号公報
【発明の概要】
【発明が解決しようとする課題】
【０００６】
しかしながら、上述した特許文献１〜５では、複数のアンテナを切り替える際に、各アンテナでのビット誤り率（ＢＥＲ）や、パケット誤り率（ＰＥＲ）、アンテナ利得などを比較することで、最も受信率の高いアンテナを選択するため、受信可能な状態になるまでの待ち時間が長くなり、効率よく電波を受信することができないという問題があった。
【０００７】
そこで本発明は、受信可能な状態になるまでの待ち時間を短くし、効率よく電波を受信することができるデジタル放送受信装置、アンテナ切替方法、及びプログラムを提供することを目的とする。
【課題を解決するための手段】
【０００８】
本発明の移動端末装置は、複数のアンテナと、前記複数のアンテナを切り替えるアンテナ切替部と、前記複数のアンテナの各々に対する受信レベル、または受信の誤り率に基づいて、受信電波の圏内であるか否かを判定する圏内判定部と、前記アンテナ切替部により前記複数のアンテナを巡回的に切り替えながら、前記圏内判定部による各アンテナに対する判定結果を取得し、前記圏内判定部によって圏内であると判定された時点で、前記圏内判定部による判定を終了させ、前記圏内であると判定されたアンテナで電波を受信するように前記アンテナ切替部による切り替えを制御する制御部と、を備えることを特徴とする移動端末装置である。
【０００９】
本発明のアンテナ切替方法は、複数のアンテナを備える電子機器でのアンテナ切替方法であって、前記複数のアンテナを切り替えるアンテナ切替ステップと、前記複数のアンテナの各々に対する受信レベル、または受信の誤り率に基づいて、受信電波の圏内であるか否かを判定する圏内判定ステップと、前記複数のアンテナを巡回的に切り替えながら、前記圏内判定ステップによる各アンテナに対する判定結果を取得し、圏内であると判定された時点で、前記圏内判定ステップによる判定を終了させ、前記圏内であると判定されたアンテナで電波を受信するように前記複数のアンテナの切り替えを制御する制御ステップと、を備えることを特徴とするアンテナ切替方法である。
【００１０】
本発明のプログラムは、複数のアンテナを備える電子機器のコンピュータに、前記複数のアンテナを切り替えるアンテナ切替機能、前記複数のアンテナの各々に対する受信レベル、または受信の誤り率に基づいて、受信電波の圏内であるか否かを判定する圏内判定機能、前記アンテナ切替機能によって前記複数のアンテナを巡回的に切り替えながら、前記圏内判定機能による各アンテナに対する判定結果を取得し、前記圏内判定機能によって圏内であると判定された時点で、前記圏内判定機能による判定を終了させ、前記圏内であると判定されたアンテナで電波を受信するように前記複数のアンテナの切り替えを制御する制御機能、を実行させることを特徴とするプログラムである。
【発明の効果】
【００１１】
この発明によれば、受信可能な状態になるまでの待ち時間を短くし、効率よく電波を受信することができる。
【図面の簡単な説明】
【００１２】
【図１】本発明の実施形態による移動端末装置１の構成を示すブロック図である。
【図２】本実施形態によるアンテナ切替処理を行う際の受信レベル判定の判定内容と判定結果、及びＰＥＲ判定の判定内容と判定結果を示す図である。
【図３】本実施形態による視聴アプリ起動・選局時におけるアンテナ切替処理の動作を説明するためのフローチャートである。
【図４】本実施形態による視聴アプリ起動・選局時におけるアンテナ切替処理でのアンテナ状態（切り替え動作）を示すタイミングチャートである。
【図５】本実施形態による非同期時におけるアンテナ切替処理の動作を説明するためのフローチャートである。
【図６】本実施形態による非同期時におけるアンテナ切替処理の動作を示すタイミングチャートである。
【図７】付記１の構成を示すブロック図である。
【発明を実施するための形態】
【００１３】
以下、本発明の実施の形態を、図面を参照して説明する。本発明は、デジタル放送受信機能付きの移動端末装置において、デジタル放送の受信状態に応じたアンテナ自動切り換え判定方法を行うことを特徴とする。
【００１４】
図１は、本発明の実施形態による移動端末装置１の構成を示すブロック図である。図１において、移動端末装置１は、デジタル放送受信アンテナ（以下、内部アンテナという）１０、アンテナ切替スイッチ２０、デジタル放送受信・復調部（チューナ）３０、チューナ制御・映像・音声再生部（ＣＰＵ）４０、画面表示部５０、音声出力部６０、及びメモリ７０を備えている。また、移動端末装置１は、デジタル放送受信アンテナ（内部アンテナ）１０に加え、着脱可能なデジタル放送受信アンテナ（以下、外部アンテナという）１１を装着することが可能である。該外部アンテナ１１は、１つではなく、複数であってもよい。
【００１５】
内部アンテナ１０は、デジタル放送を受信する。外部アンテナ１１も、同様に、デジタル放送を受信する。アンテナ切替スイッチ２０は、後述する判定結果に従って、内部アンテナ１０と外部アンテナ１１とを切り替える。デジタル放送受信・復調部（チューナ）３０は、受信したデジタル放送をＯＦＤＭ（Orthogonal Frequency Division Multiplexing）復調し、誤り訂正符号の復号を行い、処理後のデータ（ＴＳ（Transport Stream）データ）を出力する。
【００１６】
チューナ制御・映像・音声再生部（ＣＰＵ）４０は、デジタル放送受信・復調部（チューナ）３０の出力データ（ＴＳデータ）を取り込み、映像・音声の再生を行うとともに、デジタル放送受信・復調部（チューナ）３０を制御する。特に、チューナ制御・映像・音声再生部（ＣＰＵ）４０は、伝送パラメータ（変調方式、符号化率）、同期状態（ＳＹＮＣ）の情報、及び無線モニタ情報（ビット誤り率（ＢＥＲ）、パケット誤り率（ＰＥＲ）、搬送波電力対雑音電力比（Ｃ／Ｎ））に加えて、推定ドップラー周波数（Ｆｄとする）、及び移動速度を読み取る機能を有している。なお、移動端末装置１のドップラー周波数や、移動時の速度情報は、受信機自体、もしくは受信機のＧＰＳやセンサなどのデバイス、もしくは移動端末装置１の外部から取得する。
【００１７】
チューナ制御・映像・音声再生部（ＣＰＵ）４０は、より良好な電波受信状態でデジタル放送を受信するために、視聴アプリ起動・選局時と非同期時に、内部アンテナ１０と１つ以上の外部アンテナ１１（装着／未装着）とを選択的に切り替える。なお、視聴アプリ起動・選局時とは、デジタル放送を視聴するためのアプリケーションを起動した直後、あるいは視聴するチャネルを選択するときである。また、非同期時とは、上記視聴アプリ起動・選局時においてアンテナ切替処理を所定回数（試行回数Ｎ）実行しても後述する判定結果が「偽」となったとき、あるいは、視聴中に後述する判定結果が「偽」となったときである。
【００１８】
チューナ制御・映像・音声再生部（ＣＰＵ）４０は、内部アンテナ１０と１つ以上の外部アンテナ１１（装着／未装着）のうち、どのアンテナを用いるかを、受信レベル判定とＰＥＲ判定のどちらかを用いて判定する。つまり、視聴アプリ起動・選局時と、非同期時（視聴時）との双方において、それぞれ、受信レベル判定、またはＰＥＲ判定のどちらかを用いる。判定方法の組み合わせは、以下のように４通りとなる。
【００１９】
（第１の組み合わせ）
視聴アプリ起動・選局時：受信レベル判定
非同期時：受信レベル判定
【００２０】
（第２の組み合わせ）
視聴アプリ起動・選局時：受信レベル判定
非同期時：ＰＥＲ判定
【００２１】
（第３の組み合わせ）
視聴アプリ起動・選局時：ＰＥＲ判定
非同期時：受信レベル判定
【００２２】
（第４の組み合わせ）
視聴アプリ起動・選局時：ＰＥＲ判定
非同期時：ＰＥＲ判定
【００２３】
受信レベル判定では、チューナ制御・映像・音声再生部（ＣＰＵ）４０は、まず、搬送波電力対雑音電力比信号（Ｃ／Ｎ）と同期状態信号（ＳＹＮＣ）とを用いて受信レベルについて判定を行い、該受信レベルが所定の閾値より低いと判定（暫定判定）した場合には、更に、ドップラー周波数（Ｆｄ）または移動速度と、パケット誤り率（ＰＥＲ）信号とを用いて受信レベルを確定判定する。一方、搬送波電力対雑音電力比信号（Ｃ／Ｎ）と同期状態信号（ＳＹＮＣ）とを用いた受信レベルが所定の閾値以上であると判定（暫定判定）した場合には、ビット誤り率（ＢＥＲ）を用いて受信レベルを確定判定する。
【００２４】
そして、チューナ制御・映像・音声再生部（ＣＰＵ）４０は、確定判定した受信レベルが、所定の閾値以上であれば、圏内（真）と判定し、所定の閾値より小であれば、圏外（偽）と判定する。このように、受信レベル判定では、暫定判定と確定判定との２段階で受信レベルを判定することで、フェージング環境下でも適切なデジタル放送受信レベルを判定することが可能となっている。
【００２５】
また、ＰＥＲ判定は、上記受信レベル判定よりも簡易な方法であり、パケット誤り率（ＰＥＲ）を用いて判定する。すなわち、チューナ制御・映像・音声再生部（ＣＰＵ）４０は、デジタル放送受信・復調部（チューナ）３０からパケット誤り率（ＰＥＲ）を定期的に取得し、パケット誤り率（ＰＥＲ）の値が所定の閾値以上である場合の連続回数が、規定回数より少ない場合に圏内（真）と判定し、パケット誤り率（ＰＥＲ）の値が所定の閾値以上である場合の連続回数が、規定回数以上である場合に圏外（偽）と判定する。
【００２６】
このように、チューナ制御・映像・音声再生部（ＣＰＵ）４０は、視聴アプリ起動・選局時と非同期時に、上記受信レベル判定、またはＰＥＲ判定の判定結果に基づいて、内部アンテナ１０と、未装着／装着あるいは必ずしも高感度であるとは限らない外部アンテナ１１とのうち、デジタル放送を受信可能なアンテナをより短時間で選択可能とするアンテナ切替処理を実行する。
【００２７】
画面表示部５０は、チューナ制御・映像・音声再生部（ＣＰＵ）４０で処理された映像データを表示デバイス上に表示する。音声出力部６０は、チューナ制御・映像・音声再生部（ＣＰＵ）４０で処理された音声データを出力する。
【００２８】
メモリ７０は、チューナ制御・映像・音声再生部（ＣＰＵ）４０がデジタル放送受信・復調部（チューナ）３０から読み出した伝送パラメータ、同期状態（ＳＹＮＣ）、ビット誤り率（ＢＥＲ）、パケット誤り率（ＰＥＲ）、搬送波電力対雑音電力比（Ｃ／Ｎ）、推定ドップラー周波数（Ｆｄ）、及び移動速度を格納する。
【００２９】
本実施形態では、ユーザにアンテナ切替を意識させることなく、内部アンテナ１０と外部アンテナ１１とを自動で切り替え制御する。移動端末装置１は、モバイル端末であるという性質上、ユーザが必ずしも外部アンテナ１１を取り付けて、デジタルテレビを視聴するわけでない。したがって、移動端末装置１に外部アンテナ１１が装着されていても、装着されていなくても、受信可能な状態になるまでの待ち時間を短くし、効率よく電波を受信することができるよう内部アンテナ１０と外部アンテナ１１とを切り替えるアンテナ切替処理を実行する。
【００３０】
そこで、本実施形態では、以下の項目を前提条件としている。
Ａ）外部アンテナ１１が取り付けられているか否かを検出する検出手段を必要とせずに（追加的な構成部品を必要とすることなく）、効率よく電波を受信することが可能な、内部アンテナ１０と外部アンテナ１１との切り替え制御を可能とする。
Ｂ）外部アンテナ１１を複数接続させた場合も有効である。
Ｃ）デジタル放送受信・復調部（チューナ）３０の同期状態を監視し、同期が取れているか否かで、次のアンテナをモニタしにいくかどうかを決める。
Ｄ）単純な同期外れではなく、アンテナ切り替え判定条件として、受信レベル判定、またはＰＥＲ判定の判定結果を用いる。
【００３１】
デジタル放送受信・復調部（チューナ）３０の同期状態の判定は、単純に同期が外れたかどうかでも可能であるが、「映像音声が再生不可能な電界強度＞同期外れの電界強度」であるため、デジタル放送受信・復調部（チューナ）３０の同期が外れてからアンテナを切り替えたのでは、映像音声の途切れが生じてしまう。そこで、本実施形態では、受信レベル判定、またはＰＥＲ判定の判定結果を用いることで、映像音声の途切れが生じることなく、アンテナを切り替えることが可能となる。
【００３２】
図２（ａ）、（ｂ）は、本実施形態によるアンテナ切替処理を行う際の受信レベル判定の判定内容と判定結果、及びＰＥＲ判定の判定内容と判定結果を示す図である。
【００３３】
（１）受信レベル判定
図２（ａ）に示すように、受信レベル判定は、前述したように、フェージング環境下でも適切なデジタル放送受信レベルを判定する方法である。受信レベル判定では、最終的に確定判定された受信レベルが所定の閾値以上であれば受信可能な圏内（真）と判定し、アンテナ切替処理を中断し、その時点でのアンテナ設定を保持し、デジタルテレビ放送の視聴に移行する。一方、最終的に確定判定された受信レベルが所定の閾値より低ければ受信不可な圏外（偽）と判定し、次のアンテナへの切り替えに移行する。
【００３４】
（２）ＰＥＲ判定
図２（ｂ）に示すように、ＰＥＲ判定は、上記受信レベル判定よりも簡易な方法で、パケット誤り率（ＰＥＲ）を用いて判定する方法である。これにより、視聴可能な確率を上げることが可能となる。デジタル放送受信・復調部（チューナ）３０からパケット誤り率（ＰＥＲ）を定期的に取得し、ＰＥＲの値が、所定の閾値以上である連続回数が規定回数より少なければ受信可能な圏内（真）と判定し、アンテナ切替処理を中断し、その時点でのアンテナ設定を維持し、デジタルテレビ放送の視聴に移行する。一方、ＰＥＲの値が所定の閾値以上である連続回数が規定回数以上であれば受信不可な圏外（偽）と判定し、次のアンテナへの切り替えに移行する。
【００３５】
但し、取得したＰＥＲの取得数が規定回数より少ない場合には、ＰＥＲの値が所定の閾値以上である連続回数が、取得したＰＥＲのデータ数分より少なければ圏内（真）と判定し、アンテナ切替処理を中断し、その時点でのアンテナ設定を維持してデジタルテレビ放送の視聴に移行してもよい。例えば、規定回数が５回の場合に、保持しているＰＥＲの取得数が３個しかない場合、ＰＥＲの値が所定の閾値以上である連続回数が、３回より少なければ圏内（真）と判定する。
【００３６】
本実施形態では、上述したように、視聴アプリ起動・選局時と非同期時とで、受信レベル判定、またはＰＥＲ判定のどちらかを用いるかを予め設定する必要がある。上述したように、受信レベル判定は、ＰＥＲ判定に比べ、より正確な受信レベルを検出することができるが、比較的処理が重い。また、ＰＥＲ判定の判定方法は、受信レベル判定と比べて簡易である。
【００３７】
そこで、例えば、視聴アプリ起動・選局時には、より簡易なＰＥＲ判定を用い、非同期時には、より正確な受信レベルを検出することができる受信レベル判定を用いるようにしてもよい。あるいは、移動端末装置１の初期使用時には、視聴アプリ起動・選局時及び非同期時の双方で、ＰＥＲ判定を用い、安定した受信率が得られない場合に、受信レベル判定に切り替えるようにしてもよい。あるいは、上述したように、受信レベル判定は、移動が多い場合により有効であることから、定期的に移動時の速度情報もしくはドップラー周波数をモニタリングし、移動が多い利用形態である場合には、視聴アプリ起動・選局時及び非同期時の双方で、受信レベル判定を用い、移動が少ない利用形態である場合には、ＰＥＲ判定を用いるようにしてもよい。
【００３８】
以下では、視聴アプリ起動・選局時には、より正確な受信レベルを検出することができる受信レベル判定を用い、非同期時には、より簡易なＰＥＲ判定を用いる場合を例に説明する。
【００３９】
次に、本実施形態の動作について説明する。
ここでは、移動端末装置１が１つの内部アンテナ１０を備え、２つの外部アンテナ１１（以下、２つの外部アンテナを明示する場合、外部アンテナ＃１、＃２という）が装着されている場合の動作を説明する。本実施形態において、アンテナ切替処理は、「視聴アプリ起動・選局時」と「非同期時」との状況下で行う。まず、視聴アプリ起動・選局時のアンテナ切替処理について説明し、次に、非同期時のアンテナ切替処理について説明する。
【００４０】
図３は、本実施形態による視聴アプリ起動・選局時におけるアンテナ切替処理の動作を説明するためのフローチャートである。なお、以下の説明で用いる、時間Ｔ１、Ｔ２、Ｔ３、Ｔ７は、それぞれアンテナを切り替えた際にそのアンテナの受信レベルを判定するまでの待機時間である。時間Ｔ１は、内部アンテナ１０に切り替えた際の待機時間、時間Ｔ２は、外部アンテナ＃１に切り替えた際の待機時間、時間Ｔ３は、外部アンテナ＃２に切り替えた際の待機時間、時間Ｔ７は、再び（一巡して）内部アンテナ１０に切り替えた際の待機時間である。該待機時間を設けることにより、アンテナが頻繁に切り替わることを防止している。これら時間Ｔ１、Ｔ２、Ｔ３、Ｔ７の初期値は、予め設定されているが、使用時の受信品質に応じて変更可能としてもよい。なお、詳細については後述する。
【００４１】
まず、移動端末装置１において、ユーザによる操作に応じて、デジタル放送視聴アプリケーション（プログラム）を起動する（ステップＳ１０）。次に、デジタル放送受信・復調部（チューナ）３０は、選局を実行する（ステップＳ１２）。但し、デジタル放送視聴中に選局する場合には、デジタル放送視聴アプリケーション（プログラム）を起動するステップＳ１０をスキップし、次のステップＳ１２の選局から開始する。
【００４２】
次に、チューナ制御・映像・音声再生部（ＣＰＵ）４０は、繰り返し回数ｎをリセットし（ステップＳ１４）、アンテナ切替スイッチ２０によって、アンテナ設定を内部アンテナ１０に切り替える（ステップＳ１６）。次に、チューナ制御・映像・音声再生部（ＣＰＵ）４０は、時間Ｔ１（秒）待機し（ステップＳ１８）、受信レベル判定の判定結果が「真」であるかを判定する（ステップＳ２０）。そして、受信レベル判定の判定結果が「真」の場合には（ステップＳ２０のＹＥＳ）、内部アンテナ１０のまま、当該処理を終了する。
【００４３】
一方、受信レベル判定の判定結果が「偽」の場合には（ステップＳ２０のＮＯ）、チューナ制御・映像・音声再生部（ＣＰＵ）４０は、アンテナ切替スイッチ２０によって、アンテナ設定を外部アンテナ＃１に切り替え（ステップＳ２２）、時間Ｔ２（秒）待機し（ステップＳ２４）、受信レベル判定の判定結果が「真」となるか否かを判定する（ステップＳ２６）。そして、受信レベル判定の判定結果が「真」の場合には（ステップＳ２６のＹＥＳ）、外部アンテナ＃１のまま、当該処理を終了する。
【００４４】
一方、受信レベル判定の判定結果が「偽」の場合には（ステップＳ２６のＮＯ）、チューナ制御・映像・音声再生部（ＣＰＵ）４０は、アンテナ切替スイッチ２０によって、アンテナ設定を外部アンテナ＃２に切り替え（ステップＳ２８）、時間Ｔ３（秒）待機し（ステップＳ３０）、受信レベル判定の判定結果が「真」となるか否かを判定する（ステップＳ３２）。そして、受信レベル判定の判定結果が「真」の場合には（ステップＳ３２のＹＥＳ）、外部アンテナ＃２のまま、当該処理を終了する。
【００４５】
一方、受信レベル判定の判定結果が「偽」の場合には（ステップＳ３２のＮＯ）、チューナ制御・映像・音声再生部（ＣＰＵ）４０は、アンテナ切替スイッチ２０によって、アンテナ設定を内部アンテナ１０に戻す（ステップＳ３４）。すなわち、この段階で受信レベル判定の判定結果が「真」とならない場合には、外部アンテナ１１が非装着であることを想定し、内部アンテナ１０を選択する。あるいは外部アンテナ１１は装着されているが、受信感度が悪いことを想定し、内部アンテナ１０に切り替える。
【００４６】
次に、チューナ制御・映像・音声再生部（ＣＰＵ）４０は、時間Ｔ７（秒）が経過まで待ち（ステップＳ３６）、繰り返し回数ｎインクリメントし（ステップＳ３８）、繰り返し回数ｎが試行回数Ｎ（例えば、５回）に達しているか否かを判定する（ステップＳ４０）。そして、繰り返し回数ｎが試行回数Ｎに達していなければ（ステップＳ４０のＮＯ）、ステップＳ１８に戻り、上述した処理を繰り返す。一方、繰り返し回数ｎが試行回数Ｎに達した段階で（ステップＳ４０のＹＥＳ）、受信レベル判定の判定結果が「真」である場合には、当該処理を終了する一方、受信レベル判定の判定結果が「偽」である場合には、非同期時のアンテナ切替処理に移行する。
【００４７】
図４は、本実施形態による視聴アプリ起動・選局時におけるアンテナ切替処理でのアンテナ状態（切り替え動作）を示すタイミングチャートである。
ａ）まず、チューナ制御・映像・音声再生部（ＣＰＵ）４０は、内部アンテナ１０に切り替え（時刻ｔ１）、時間Ｔ１（秒）待機し、受信レベル判定の判定結果が「真」であるかを判定する（時刻ｔ２）。そして、受信レベル判定の判定結果が「真」の場合、内部アンテナ１０のまま、切り替えずに終了する。
【００４８】
ｂ）上記ａ）で受信レベル判定の判定結果が「偽」の場合には、チューナ制御・映像・音声再生部（ＣＰＵ）４０は、外部アンテナ＃１に切り替え（時刻ｔ２）、時間Ｔ２（秒）待機し、受信レベル判定の判定結果が「真」となるか否かを判定する（時刻ｔ３）。そして、受信レベル判定の判定結果が「真」であれば、外部アンテナ＃１のままとして終了する。
【００４９】
ｃ）上記ｂ）で受信レベル判定の判定結果が「偽」の場合には、チューナ制御・映像・音声再生部（ＣＰＵ）４０は、外部アンテナ＃２に切り替え（時刻ｔ３）、時間Ｔ３待機し、受信レベル判定の判定結果が「真」となるか否かを判定する（時刻ｔ４）。そして、受信レベル判定の判定結果が「真」の場合、外部アンテナ＃２のままとして終了する。
【００５０】
ｄ）上記ｃ）で受信レベル判定の判定結果が「偽」の場合には、チューナ制御・映像・音声再生部（ＣＰＵ）４０は、アンテナ設定を内部アンテナ１０に戻す（時刻ｔ４）。すなわち、外部アンテナ１１が非装着であること、あるいは外部アンテナ１１は装着されているが、受信感度が悪いことを想定し、内部アンテナ１０に切り替える。
【００５１】
ｅ）チューナ制御・映像・音声再生部（ＣＰＵ）４０は、時間Ｔ７（秒）が経過するまで待機する。この間も、デジタル放送受信・復調部（チューナ）３０は、受信動作を続ける。
【００５２】
ｆ）チューナ制御・映像・音声再生部（ＣＰＵ）４０は、上記ｅ）で時間Ｔ７が経過後（時刻ｔ５）、繰り返し回数ｎをインクリメントし、繰り返し回数ｎが試行回数Ｎに達しているか否かを判定する。そして、繰り返し回数ｎが試行回数Ｎ（例えば、５回）に達していなければ、上記ａ）に戻に戻り、上述した処理を繰り返す。一方、繰り返し回数ｎが試行回数Ｎ達した段階で、受信レベル判定の判定結果が「真」である場合には、当該処理を終了する一方、受信レベル判定の判定結果が「偽」である場合には、非同期時のアンテナ切替処理に移行する。
【００５３】
このように、本実施形態では、視聴アプリ起動・選局時において、図３、図４に示すように、アンテナ同士の受信レベルを比較することなく、内部アンテナ１０⇒外部アンテナ＃１⇒外部アンテナ＃２⇒内部アンテナ１０…と巡回して受信レベルを判定し、（受信レベル判定またはＰＥＲ判定）判定結果が「真」となった時点で、そのアンテナを選択することで、より短時間で視聴動作へ移行することが可能となる。
【００５４】
また、本実施形態のように、移動端末装置１が外部アンテナ１１が装着されていることを検出するための特別な手段を備えていない場合や、外部アンテナ１１の使用状況や、周囲環境などによっては、外部アンテナ１１の受信率が内部アンテナ１０より良いとは限らない場合などには、常に外部アンテナ１１から同期を取りに行くことや、内部アンテナ１０と外部アンテナ１１との双方のアンテナで同期を取り、受信レベルを比較することは非効率である。処理が増える分、当然、視聴までの待ち時間が長くなる＝受信率低下になるためである。このため、上述したように、最初に内部アンテナ１０で同期を取ることは有効である。
【００５５】
図５は、本実施形態による非同期時（視聴時）におけるアンテナ切替処理の動作を説明するためのフローチャートである。前述した図３に示す、視聴アプリ起動・選局時のアンテナ切替処理のフローにおいて、受信レベル判定、またはＰＥＲ判定の判定結果が「偽」のまま終了した場合、または視聴中に受信レベル判定、またはＰＥＲ判定の判定結果が「偽」となった場合に、図５に示す非同期時アンテナ切替処理を実行する。図５に示すフローチャートは、受信レベル判定、またはＰＥＲ判定の判定結果が「真」となるまで繰り返し実行される。上述したように、以下では、ＰＥＲ判定を用いる場合を例に説明する。
【００５６】
なお、以下の説明で用いる、時間Ｔ４、Ｔ５、Ｔ６、Ｔ８、Ｔ９は、上述した時間Ｔ１、Ｔ２、Ｔ３と同様に、それぞれアンテナを切り替えた際にそのアンテナの受信レベルを判定するまでの待機時間である。時間Ｔ４は、内部アンテナ１０に切り替えた際の待機時間、時間Ｔ５は、外部アンテナ＃１に切り替えた際の待機時間、時間Ｔ６は、外部アンテナ＃２に切り替えた際の待機時間、時間Ｔ８は、再び（一巡して）内部アンテナ１０に切り替えた際の待機時間である。また、時間Ｔ９は、上述した視聴アプリ起動・選局時で「偽」で終了した直後、あるいは視聴時に圏外判定された直後の待機時間である。該時間Ｔ４、Ｔ５、Ｔ６、Ｔ８、Ｔ９を設けることにより、アンテナが頻繁に切り替わることを防止する。これら時間Ｔ４、Ｔ５、Ｔ６、Ｔ８、Ｔ９の初期値は、予め設定されているが、使用時の受信品質に応じて変更可能としてもよい。詳細については後述する。
【００５７】
まず、チューナ制御・映像・音声再生部（ＣＰＵ）４０は、図３に示す視聴アプリ起動時及び選局時のフローにおいて、受信レベル判定の判定結果が「偽」であるか否かを判定する（ステップＳ５０）。そして、受信レベル判定の判定結果が「偽」である場合には（ステップＳ５０のＹＥＳ）、チューナ制御・映像・音声再生部（ＣＰＵ）４０は、アンテナ設定を保持し、時間Ｔ９（秒）（１回目）待機し（ステップＳ５２）、現時点のアンテナ設定で、ＰＥＲ判定の判定結果が「真」であるか否かを判定する（ステップＳ５４）。そして、ＰＥＲ判定の判定結果が「真」であると判定された場合には（ステップＳ５４のＹＥＳ）、アンテナ設定を保持して終了する。
【００５８】
一方、ＰＥＲ判定の判定結果が「偽」であると判定された場合には、チューナ制御・映像・音声再生部（ＣＰＵ）４０は、アンテナ切替スイッチ２０によって、アンテナ設定をローテーション（内部アンテナ→外部アンテナ＃１→外部アンテナ＃２→…）する（ステップＳ５６）。つまり、現時点で内部アンテナ１０が選択されている場合には外部アンテナ＃１に切り替え、外部アンテナ＃１が選択されている場合には外部アンテナ＃２に切り替え、外部アンテナ＃２が選択されている場合には内部アンテナ１０に切り替える。
【００５９】
次に、時間Ｔ４〜Ｔ６（秒）待機し（ステップＳ５８）、現時点のアンテナ設定で、ＰＥＲ判定の判定結果が「真」であるか否かを判定する（ステップＳ６０）。そして、ＰＥＲ判定の判定結果が「真」であると判定された場合には（ステップＳ６０のＹＥＳ）、アンテナ設定を保持して終了する。
【００６０】
一方、ＰＥＲ判定の判定結果が「偽」であると判定された場合には（ステップＳ６０のＮＯ）、デジタル放送受信・復調部（チューナ）３０は、アンテナ切替スイッチ２０によって、アンテナ設定をローテーション（内部アンテナ→外部アンテナ＃１→外部アンテナ＃２→…）する（ステップＳ６２）。つまり、現時点で内部アンテナ１０が選択されている場合には外部アンテナ＃１に切り替え、外部アンテナ＃１が選択されている場合には外部アンテナ＃２に切り替え、外部アンテナ＃２が選択されている場合には内部アンテナ１０に切り替える。
【００６１】
次に、時間Ｔ４〜Ｔ６（秒）待機し（ステップＳ６４）、現時点のアンテナ設定で、ＰＥＲ判定の判定結果が「真」であるか否かを判定する（ステップＳ６６）。そして、ＰＥＲ判定の判定結果が「真」であると判定された場合には（ステップＳ６６のＹＥＳ）、アンテナ設定を保持して終了する。
【００６２】
一方、ＰＥＲ判定の判定結果が「偽」であると判定された場合には（ステップＳ６６のＮＯ）、チューナ制御・映像・音声再生部（ＣＰＵ）４０は、アンテナ切替スイッチ２０によって、アンテナ設定を内部アンテナ１０に切り替える（ステップＳ６８）。次に、時間Ｔ８（秒）が経過するまで待機し（ステップＳ７０）、その後、ステップＳ５２に戻り、上述した処理を繰り返し実行する。
【００６３】
図６は、本実施形態による非同期時のアンテナ切替処理の動作を示すタイミングチャートである。
ａ）アンテナ設定は、そのままの状態を保持する（時刻ｔ１０〜）。チューナ制御・映像・音声再生部（ＣＰＵ）４０は、時間Ｔ９（秒）（１回目）待機し、現時点のアンテナ設定で、ＰＥＲ判定の判定結果が「真」となるか否かを判定する（時刻ｔ１１）。そして、ＰＥＲ判定の判定結果が「真」であると判定された場合には、アンテナ設定の状態を保持して終了する。時間Ｔ９（秒）待機するのは、時刻ｔ１０で判定結果が「偽」と判定された直後に受信状態が良くなり視聴復帰する場合を考慮し、すぐにアンテナ切り替えを行わないためである。
【００６４】
ｂ）チューナ制御・映像・音声再生部（ＣＰＵ）４０は、上記ａ）でＰＥＲ判定の判定結果が「偽」であると判定された場合には、アンテナ設定をローテーションする（内部アンテナ→外部アンテナ＃１→外部アンテナ＃２→…）（時刻ｔ１１）。つまり、現時点で内部アンテナ１０の場合に外部アンテナ＃１に切り替え、外部アンテナ＃１の場合に外部アンテナ＃２に切り替え、外部アンテナ＃２の場合に内部アンテナ１０に切り替える。
【００６５】
そして、チューナ制御・映像・音声再生部（ＣＰＵ）４０は、切り替えたアンテナに応じて、時間Ｔ４、Ｔ５、またはＴ６（秒）待機し、現時点のアンテナ設定で、ＰＥＲ判定の判定結果が「真」となるか否かを判定する（時刻ｔ１２）。すなわち、時間Ｔ４（秒）は、内部アンテナ１０での待機時間、時間Ｔ５（秒）は、外部アンテナ＃１での待機時間、時間Ｔ６（秒）は、外部アンテナ＃２での待機時間に対応する。そして、ＰＥＲ判定の判定結果が「真」であると判定された場合には、チューナ制御・映像・音声再生部（ＣＰＵ）４０は、アンテナ設定の状態を維持して終了する。
【００６６】
ｃ）チューナ制御・映像・音声再生部（ＣＰＵ）４０は、上記ｂ）でＰＥＲ判定の判定結果が「偽」であると判定された場合には、アンテナ設定をローテーションし（時刻ｔ１２）、切り替えたアンテナに応じて、時間Ｔ４、Ｔ５、またはＴ６（秒）待機し、現時点のアンテナ設定で、ＰＥＲ判定の判定結果が「真」となるか否かを判定する（時刻ｔ１３）。そして、ＰＥＲ判定の判定結果が「真」であると判定された場合には、チューナ制御・映像・音声再生部（ＣＰＵ）４０は、アンテナ設定の状態を維持して終了する。
【００６７】
ｄ）チューナ制御・映像・音声再生部（ＣＰＵ）４０は、上記ｃ）でＰＥＲ判定の判定結果が「偽」であると判定された場合には、アンテナ設定を内部アンテナ１０に戻す（時刻ｔ１３）。すなわち、チューナ制御・映像・音声再生部（ＣＰＵ）４０は、外部アンテナ１１が非装着であること、あるいは外部アンテナ１１の受信感度が悪いことを想定し、内部アンテナ１０に切り替える。すでに内部アンテナ１０が選択されている場合には、アンテナ設定の状態を維持する。
【００６８】
ｅ）次に、チューナ制御・映像・音声再生部（ＣＰＵ）４０は、時間Ｔ８（秒）が経過するまで待機する（時刻ｔ１４）。この間も、デジタル放送受信・復調部(チューナ)３０は、受信動作を続ける。
【００６９】
ｆ）チューナ制御・映像・音声再生部（ＣＰＵ）４０は、上記ｅ）で時間Ｔ８（秒）経過後、上記ａ）に戻る。なお、次プロセス以降は、時間Ｔ９（秒）を用いず、アンテナ設定に応じた時間Ｔ４、Ｔ５、またはＴ６（秒）を用いる。
【００７０】
上述した実施形態において、視聴アプリ起動・選局時における時間Ｔ４、Ｔ５、Ｔ６、また、非同期時における、時間Ｔ４、Ｔ５、Ｔ６の設定方法について説明する。単純に受信レベルを知るために、受信周波数帯域における電界強度（ＲＳＳＩ）を用いることでも、受信レベルの比較を行うことは可能であるが、所望の信号（ここでは放送波）以外の妨害波も受信レベルとして判断してしまうため好ましくない。一方、搬送波電力対雑音電力比信号（Ｃ／Ｎ）は、受信レベルとして使うのに有効であるが、デジタル放送受信・復調部（チューナ）３０が放送波で同期を取らないとＣ／Ｎは分からない。したがって、内部アンテナ１０／外部アンテナ＃１／外部アンテナ＃２の３つで同期をとり、それぞれのアンテナでのＣ／Ｎを比較して、最もよいアンテナに切り替えるのは時間がかかりすぎる。
【００７１】
これを解決するために、本実施形態では、上述したように、まず、内部アンテナ１０で同期（受信レベル判定、またはＰＥＲ判定）を取ることを試みる。内部アンテナ１０の同期が外れない限りは、そのアンテナ設定を維持する。内部アンテナ１０の同期が外れた場合には、外部アンテナ１１で同期を取ることを試みるが、外部アンテナ１１は、未装着の可能性があり、また、外部アンテナ１１の使用状況によっては外部アンテナ１１の方が受信感度が良いとは限らない。そこで、視聴アプリ起動・選局時の場合には、外部アンテナ１１で同期を取ることを試みる時間Ｔ２、Ｔ３を、あらゆる環境で受信率が最大となるように最適化する必要がある。基本的に、内部アンテナ１０での時間Ｔ１≧外部アンテナ１１での時間Ｔ２、または時間Ｔ３とすることで、不確定な外部アンテナ１１での待機時間を短くする。例えば、Ｔ１＝Ｔ２＋Ｔ３とし、Ｄｕｔｙ比５０％ずつとした場合、時間Ｔ１＝３秒としたら、時間Ｔ２＝１．５秒、時間Ｔ３＝１．５秒とする。非同期時における時間Ｔ４、Ｔ５、Ｔ６の関係も同様である。すなわち、基本的に、内部アンテナ１０での時間Ｔ４≧外部アンテナ１１での時間Ｔ５、または時間Ｔ６とする。
【００７２】
具体的には、移動端末装置１の出荷前に、さまざまな受信環境（室内、徒歩、ビル街、電車内、駅ホーム、送信所のすぐ近く、送信所から遠く離れたフリンジなど）を想定して、信号発生器でそれらの電波環境を再現し、時間Ｔ１、Ｔ２、Ｔ３、Ｔ７、あるいは時間Ｔ４、Ｔ５、Ｔ６、Ｔ８、Ｔ９を変えながら、本方式を実行させているときの受信品質ログ（ＢＥＲ、ＰＥＲ、Ｃ／Ｎ、ＲＳＳＩ、Ｆｄ等の情報）を解析し、エラーが少なく、受信率が高いパラメータ（時間Ｔ１、Ｔ２、Ｔ３、Ｔ７、あるいは時間Ｔ４、Ｔ５、Ｔ６、Ｔ８、Ｔ９や、ＰＥＲ判定値）を初期値として設定する。また、必要に応じてフィールドに出て上記パラメータ調整を行なってもよい。
【００７３】
最終的にユーザが視聴する画面・音声の乱れとして発生するのは、デジタル放送のシステム上、パケット誤り率（ＰＥＲ）が発生したときである。ゆえに、最も簡単な方法は、時間Ｔ１、Ｔ２、Ｔ３、Ｔ７、あるいは時間Ｔ４、Ｔ５、Ｔ６、Ｔ８、Ｔ９を変えながら、パケット誤り率（ＰＥＲ）の発生頻度を受信品質ログとして記録し、該受信品質ログを解析し、パケット誤り率（ＰＥＲ）の発生頻度が最小となるパラメータ（時間Ｔ１、Ｔ２、Ｔ３、Ｔ７、あるいは時間Ｔ４、Ｔ５、Ｔ６、Ｔ８、Ｔ９や、ＰＥＲ判定値）を選択することである。
【００７４】
さらに、実際の使用においても受信品質ログ（ＢＥＲ、ＰＥＲ、Ｃ／Ｎ、ＲＳＳＩ、Ｆｄ等の情報、あるいはパケット誤り率（ＰＥＲ）の発生頻度）を記録し、該受信品質ログを解析してパケット誤り率（ＰＥＲ）の発生頻度が最小となるパラメータ（時間Ｔ１、Ｔ２、Ｔ３、Ｔ７、あるいは時間Ｔ４、Ｔ５、Ｔ６、Ｔ８、Ｔ９や、ＰＥＲ判定値）を選択（初期値を変更）するようにしてもよい。
【００７５】
また、例えば、パケット誤り率（ＰＥＲ）の発生頻度に対応付けてウエイト値を不揮発性メモリに保持し、パケット誤り率（ＰＥＲ）の発生頻度に応じて、パラメータ（時間Ｔ１、Ｔ２、Ｔ３、Ｔ７、あるいは時間Ｔ４、Ｔ５、Ｔ６、Ｔ８、Ｔ９や、ＰＥＲ判定値）に乗ずるウエイト値を変更することで、迅速にこれらパラメータを変更できるようにしてもよい。
このように、本実施形態では、むやみに外部アンテナ１１の状態を調査しなくてよいため、省電力化の効果がある。
【００７６】
例えば、外部アンテナ１１を１つ取り付ける場合、以下のようなアンテナの状態がある。
（１）内部アンテナ１０に設定を固定する場合
（２）外部アンテナ１１に設定を固定する場合
（３）内部アンテナ１０と外部アンテナ１１を自動切り替え（外部アンテナ１１未装着）
（４）内部アンテナ１０と外部アンテナ１１を自動切り替え（外部アンテナ１１装着）
【００７７】
本実施形態の場合、内部アンテナ１０の感度≦外部アンテナ１１の感度である場合には、受信率としては、
（４）＞（２）≧（１）＝（３）
となるのが理想である。
【００７８】
特に、（１）＝（３）となることが難しい。外部アンテナ１１を検出できない制約があると、内部アンテナ１０で同期確立が可能である場合に、未装着であるかも知れない外部アンテナ１１で同期を確立する動作を行っていると、その動作の時間だけ受信できないことになり、受信率が低下するためである。
【００７９】
そのため、上述したように、パケット誤り率（ＰＥＲ）の発生頻度を受信品質ログとして保存し、該受信品質ログを解析することで、パケット誤り率（ＰＥＲ）が最小となるように、時間Ｔ１、Ｔ２、Ｔ３、Ｔ７、あるいは時間Ｔ４、Ｔ５、Ｔ６、Ｔ８、Ｔ９や、ＰＥＲ判定値などのパラメータを調整することで、外部アンテナ１１の受信感度が低い傾向にある又は、外部アンテナ１１の装着率が高く、外部アンテナ１１の受信感度が高い傾向にあるなど、利用状況に合わせることが可能となる。
【００８０】
また、上述した実施形態によれば、アンテナ同士の受信レベルを比較することなく、内部アンテナ１０⇒外部アンテナ＃１⇒外部アンテナ＃２⇒内部アンテナ１０…と巡回して受信レベルを判定し、（受信レベル判定またはＰＥＲ判定）判定結果が圏内「真」となった時点で、そのアンテナを選択することで、より短時間で視聴動作へ移行することができる。すなわち、本実施形態によれば、受信可能な状態になるまでの待ち時間が短くなり、効率よく電波を受信することができる。
【００８１】
また、上述した実施形態によれば、電界強度以外のパラメータによる受信レベル判定またはＰＥＲ判定により圏内であるか圏外であるかを判定するようにしたので、例えば、広く知られる受信レベル（電界強度：ＲＳＳＩ）を常にモニタして、受信レベルの高いアンテナを選択させる方式で生じるような、所望の信号（ここでは放送波）以外の妨害波も受信レベルとして判断してしまうという欠点が解決できる。
【００８２】
また、上述した実施形態によれば、着脱可能な外部アンテナ１１を取り付けていることを検知できなくとも、内部アンテナ１０に固定した場合とほぼ同等の受信率を維持したまま内部アンテナ１０と着脱可能な外部アンテナ１１とを切り替え制御することが可能である。
【００８３】
また、上述した実施形態によれば、移動端末装置１の外部インターフェースに、複数の外部アンテナを接続させた場合にも、より短時間で視聴動作へ移行することができ、効率よく電波を受信することができるようなる。
【００８４】
また、上述した実施形態によれば、「映像音声が再生不可能な電界強度＞同期外れの電界強度」であるために、デジタル放送受信・復調部（チューナ）３０の同期が外れてからアンテナを切り替えた場合に生じる、映像音声の途切れが生じてしまうという欠点を解決することができる。
【００８５】
なお、本発明の実施形態では、移動端末装置として携帯電話に適用した例であるが、これに限定されることなく、地上デジタル放送受信可能なテレビ、地上デジタル放送受信機能つきの携帯型または据置型の端末機器、例えば、ゲーム機、タブレットＰＣ、ノートＰＣ、ＰＤＡ（Ｐｅｒｓｏｎａｌ  Ｄａｔａ  Ａｓｓｉｓｔａｎｔｓ）に接続するＴＶ受信器）等、ＯＦＤＭ変調方式ベースの放送システムに適用可能である。特に、外付けアンテナを取り付け可能な携帯端末・デジタル放送システム、複数本のアンテナを持つ携帯端末・デジタル放送システムに適用可能である。
【００８６】
以下、本発明の特徴を付記する。
上記の実施形態の一部又は全部は、以下の付記のようにも記載されうるが、以下には限られない。
（付記１）
図７は、付記１の構成図である。ここで、図７と図１との対応について説明する。図７に示す複数のアンテナ１００−１〜１００−ｎは、図１の内部アンテナ１０と外部アンテナ１１に相当し、図７のアンテナ切替部１０１は、図１のアンテナ切替スイッチ２０に相当する。また、図７の圏内判定部１０２、及び制御部１０３は、図１のチューナ制御・映像・音声再生部（ＣＰＵ）４０に相当する。
【００８７】
この図に示すように、付記１記載の発明は、
複数のアンテナ１００−１、１００−２、…、１００−ｎと、
前記複数のアンテナ１００−１〜１００−ｎを切り替えるアンテナ切替部１０１と、
前記複数のアンテナ１００−１〜１００−ｎの各々に対する受信レベル、または受信の誤り率に基づいて、受信電波の圏内であるか否かを判定する圏内判定部１０２と、
前記アンテナ切替部１０１により前記複数のアンテナ１００−１〜１００−ｎを巡回的に切り替えながら、前記圏内判定部１０２による各アンテナに対する判定結果を取得し、前記圏内判定部１０２によって圏内であると判定された時点で、前記圏内判定部１０２による判定を終了させ、前記圏内であると判定されたアンテナで電波を受信するように前記アンテナ切替部による切り替えを制御する制御部１０３と、
を備えることを特徴とする移動端末装置である。
【００８８】
（付記２）
前記圏内判定部は、前記複数のアンテナの各々に対する受信レベルに基づいて、受信電波の圏内であるか否かを判定する受信レベル判定部である、
ことを特徴とする付記１に記載の移動端末装置である。
【００８９】
（付記３）
前記受信レベル判定部は、搬送波電力対雑音電力比信号（Ｃ／Ｎ）と同期状態信号（ＳＹＮＣ）とを用いて受信レベルを判定する第１の判定を行い、前記第１の判定によって受信レベルが低いと判定された場合には、更に、ドップラー周波数（Ｆｄ）または移動速度と、パケット誤り率（ＰＥＲ）信号とを用いて受信レベルを判定する第１の確定判定を行う一方、前記第１の判定によって受信レベルが高いと判定された場合には、ビット誤り率（ＢＥＲ）を用いて受信レベルを判定する第２の確定判定を行うことで、前記第１の確定判定、または前記第２の確定判定によって判定された受信レベルに基づいて、受信電波の圏内であるか否かを判定する、ことを特徴とする付記２に記載の移動端末装置である。
【００９０】
（付記４）
前記圏内判定部は、前記複数のアンテナの各々に対する受信の誤り率に基づいて、受信電波の圏内であるか否かを判定する誤り率判定部である、ことを特徴とする付記１に記載の移動端末装置である。
【００９１】
（付記５）
前記誤り率判定部は、パケット誤り率（ＰＥＲ）の値が所定の閾値以上である場合の連続回数が、規定回数より小である場合に圏内と判定し、パケット誤り率（ＰＥＲ）の値が所定の閾値以上である場合の連続回数が、規定回数以上である場合に圏外と判定する、ことを特徴とする付記４に記載の移動端末装置である。
【００９２】
（付記６）
前記複数のアンテナは、内部アンテナと着脱可能な外部アンテナとから構成される、
ことを特徴とする付記１から５のいずれかに記載の移動端末装置である。
【００９３】
（付記７）
前記制御部は、前記アンテナ切替部により前記複数のアンテナを巡回的に切り替える際、前記内部アンテナを優先して切り替える、ことを特徴とする付記６に記載の移動端末装置である。
【００９４】
（付記８）
前記制御部は、前記アンテナ切替部による前記複数のアンテナを巡回的に切り替えるタイミングを、過去のパケット誤り率（ＰＥＲ）の発生頻度に基づいて制御する、ことを特徴とする付記１から７のいずれかに記載の移動端末装置である。
【００９５】
（付記９）
複数のアンテナを備える電子機器でのアンテナ切替方法であって、前記複数のアンテナを切り替えるアンテナ切替ステップと、前記複数のアンテナの各々に対する受信レベル、または受信の誤り率に基づいて、受信電波の圏内であるか否かを判定する圏内判定ステップと、前記複数のアンテナを巡回的に切り替えながら、前記圏内判定ステップによる各アンテナに対する判定結果を取得し、圏内であると判定された時点で、前記圏内判定ステップによる判定を終了させ、前記圏内であると判定されたアンテナで電波を受信するように前記複数のアンテナの切り替えを制御する制御ステップと、を備えることを特徴とするアンテナ切替方法である。
【００９６】
（付記１０）
複数のアンテナを備える電子機器のコンピュータに、前記複数のアンテナを切り替えるアンテナ切替機能、前記複数のアンテナの各々に対する受信レベル、または受信の誤り率に基づいて、受信電波の圏内であるか否かを判定する圏内判定機能、前記アンテナ切替機能によって前記複数のアンテナを巡回的に切り替えながら、前記圏内判定機能による各アンテナに対する判定結果を取得し、前記圏内判定機能によって圏内であると判定された時点で、前記圏内判定機能による判定を終了させ、前記圏内であると判定されたアンテナで電波を受信するように前記複数のアンテナの切り替えを制御する制御機能、を実行させることを特徴とするプログラムである。
【符号の説明】
【００９７】
１  移動端末装置
１０  デジタル放送受信アンテナ（内部アンテナ）
１１  デジタル放送受信アンテナ（外部アンテナ）
２０  アンテナ切替スイッチ
３０  デジタル放送受信・復調部（チューナ）
４０  チューナ制御・映像・音声再生部（ＣＰＵ）
５０  画面表示部
６０  音声出力部
７０  メモリ
１００−１、１００−２、…、１００−ｎ  複数のアンテナ
１０１  アンテナ切替部
１０２  圏内判定部
１０３  制御部
【図１】
2014179731.tif 000003
【図２】
2014179731.tif 000004
【図３】
2014179731.tif 000005
【図４】
2014179731.tif 000006
【図５】
2014179731.tif 000007
【図６】
2014179731.tif 000008
【図７】
2014179731.tif 000009